(57)【特許請求の範囲】
【請求項１】
読取対象から読み取った情報に基づいて、処理実行装置に対して処理の実行要求を行う端末装置であって、
前記読取対象は、前記処理実行装置による処理の種別および該処理種別での処理における設定情報を少なくとも有し、
前記読取対象から読み取った処理種別および設定情報に基づいて、該処理種別での処理の実行要求に付加して送信すべき付加情報を判断する判断手段と、
該実行要求を前記処理実行装置に送信する要求送信手段と、を備え、
前記要求送信手段は、前記判断手段により付加情報が存在すると判断された場合、該判断された付加情報を前記実行要求に付加して送信することを特徴とする端末装置。
【請求項２】
前記実行要求に付加して送信する付加情報は、前記実行要求による前記処理実行装置での処理対象データ、および／または認証情報であり、
前記判断手段は、
前記読取対象から読み取った設定情報に基づいて、認証情報を前記実行要求への付加情報とするか否かを判断し、
前記読取対象から読み取った処理種別に基づいて、処理対象データを前記実行要求への付加情報とするか否かを判断することを特徴とする請求項１記載の端末装置。
【請求項３】
処理対象データの選択入力画面を表示して選択入力を受ける対象選択手段を備え、
前記判断手段は、前記実行要求に付加して送信する付加情報として処理対象データが含まれると判断した場合、付加すべき処理対象データが特定された状態であるか否かを判断し、
特定されている場合、該特定された処理対象データを付加すべき処理対象データと判断し、
特定されていない場合、前記対象選択手段により選択入力された処理対象データを付加すべき処理対象データと判断することを特徴とする請求項１または２記載の端末装置。
【請求項４】
前記判断手段は、前記実行要求に付加して送信する付加情報として処理対象データが含まれると判断した際、付加すべき処理対象データに該当しうるファイル形式のファイルが開かれた状態であれば、当該開かれた状態であるファイルが付加すべき処理対象データとして特定された状態であると判断することを特徴とする請求項３記載の端末装置。
【請求項５】
認証結果がエラーである通知を前記処理実行装置から受信した場合、認証情報の入力操作画面を表示して操作入力を受ける再入力手段を備え
前記要求送信手段は、前記再入力手段での表示により認証情報が操作入力された場合、当該操作入力された認証情報を付加情報に含めて前記実行要求に付加し、前記処理実行装置に送信することを特徴とする請求項１から４の何れか１項に記載の端末装置。
【請求項６】
処理実行装置と、読取対象から読み取った情報に基づいて前記処理実行装置に処理の実行要求を行う端末装置とを備えた処理実行システムであって、
前記読取対象は、前記処理実行装置による処理の種別および該処理種別での処理における設定情報を少なくとも有し、
前記端末装置は、
前記読取対象から読み取った処理種別および設定情報に基づいて、該処理種別での処理の実行要求に付加して送信すべき付加情報を判断する判断手段と、
該実行要求を前記処理実行装置に送信する要求送信手段と、を備え、
前記要求送信手段は、前記判断手段により付加情報が存在すると判断された場合、該判断された付加情報を前記実行要求に付加して送信し、
前記処理実行装置は、前記実行要求を受信した場合、当該受信した情報に基づいて処理を実行する処理実行手段を備えたことを特徴とする処理実行システム。
【請求項７】
前記処理実行装置は、
受信した前記実行要求で要求される処理の種別が認証を行うよう予め定められた処理種別であるか否かを判断する認証判断手段と、
認証を行う認証手段と、を備え、
前記認証手段は、前記認証判断手段で認証を行う処理種別であると判断され、かつ、前記実行要求に付加された付加情報に認証情報が含まれる場合に認証を行うことを特徴とする請求項６記載の処理実行システム。
【請求項８】
読取対象から読み取った情報に基づいて、処理実行装置に対して処理の実行要求を行う端末装置のプログラムであって、
前記読取対象は、前記処理実行装置による処理の種別および該処理種別での処理における設定情報を少なくとも有し、
前記端末装置のコンピュータに、
前記読取対象から読み取った処理種別および設定情報に基づいて、該処理種別での処理の実行要求に付加して送信すべき付加情報を判断する判断手順と、
該実行要求を前記処理実行装置に送信する要求送信手順と、を実行させ、
前記要求送信手順では、前記判断手順により付加情報が存在すると判断された場合、該判断された付加情報を前記実行要求に付加して送信することを特徴とする端末装置のプログラム。
【発明の詳細な説明】
【技術分野】
【０００１】
本発明は、端末装置からの実行要求に基づいて、処理実行装置に処理を実行させる端末装置、処理実行システムおよび装置のプログラムに関する。
【背景技術】
【０００２】
一般に、例えばデジタル複合機（ＭＦＰ；Multi Function Printer）など、複数の機能部を備えてそれら機能部による処理を実行可能な処理実行装置が知られている。近年、こうした処理実行装置は多機能化し、各機能に応じた設定内容も多様化している。また、各機能も向上していくため、新型の機種と旧型の機種とでは設定可能な内容が異なることがある。
【０００３】
また、本出願人による技術として、画像形成装置にユーザＩＤを登録しておき、外部端末からユーザＩＤを受信した場合にそのユーザＩＤが予め登録されていれば認証成立とするものがある（例えば、特許文献１参照）。
【発明の概要】
【発明が解決しようとする課題】
【０００４】
しかしながら、上述のように多機能化した処理実行装置が、例えば企業のオフィスなどに複数台設置されている場合、それぞれの処理実行装置がどの機能を実行可能で、各機能についてどこまでの設定に対応できる処理能力を有しているかをユーザが個別に把握することは困難であった。このため、端末装置から特定の処理実行装置に対して処理の実行要求を送信しても、送信先の処理実行装置がその実行要求に含まれる設定内容に対応していない場合、実行要求がエラーとなってしまっていた。
このように、ユーザにとっては、処理実行装置が対応可能な処理能力の範囲内で最も意図に合う設定とすることが困難であった。
【０００５】
また、上述した特許文献１のものは、外部端末から簡単な手間で認証を行い、処理の実行要求を簡単に送信しようとするものであるが、処理実行装置が対応可能な処理能力の範囲内で実行要求を行うことについてまで考慮されたものではなかった。
【０００６】
本発明はこのような状況に鑑みてなされたものであり、処理実行装置により対応可能な処理能力に応じた実行要求を、ユーザが端末装置から簡単に送信することができる端末装置、処理実行システムおよび装置のプログラムを提供することを目的とする。
【課題を解決するための手段】
【０００７】
かかる目的を達成するために、本発明に係る端末装置は、読取対象から読み取った情報に基づいて、処理実行装置に対して処理の実行要求を行う端末装置であって、読取対象は、処理実行装置による処理の種別および該処理種別での処理における設定情報を少なくとも有し、読取対象から読み取った処理種別および設定情報に基づいて、該処理種別での処理の実行要求に付加して送信すべき付加情報を判断する判断手段と、該実行要求を処理実行装置に送信する要求送信手段と、を備え、要求送信手段は、判断手段により付加情報が存在すると判断された場合、該判断された付加情報を実行要求に付加して送信することを特徴とする。
【０００８】
また、本発明に係る処理実行システムは、処理実行装置と、読取対象から読み取った情報に基づいて処理実行装置に処理の実行要求を行う端末装置とを備えた処理実行システムであって、読取対象は、処理実行装置による処理の種別および該処理種別での処理における設定情報を少なくとも有し、端末装置は、読取対象から読み取った処理種別および設定情報に基づいて、該処理種別での処理の実行要求に付加して送信すべき付加情報を判断する判断手段と、該実行要求を処理実行装置に送信する要求送信手段と、を備え、要求送信手段は、判断手段により付加情報が存在すると判断された場合、該判断された付加情報を実行要求に付加して送信し、処理実行装置は、実行要求を受信した場合、当該受信した情報に基づいて処理を実行する処理実行手段を備えたことを特徴とする。
【０００９】
また、本発明に係る端末装置のプログラムは、読取対象から読み取った情報に基づいて、処理実行装置に対して処理の実行要求を行う端末装置のプログラムであって、読取対象は、処理実行装置による処理の種別および該処理種別での処理における設定情報を少なくとも有し、端末装置のコンピュータに、読取対象から読み取った処理種別および設定情報に基づいて、該処理種別での処理の実行要求に付加して送信すべき付加情報を判断する判断手順と、該実行要求を処理実行装置に送信する要求送信手順と、を実行させ、要求送信手順では、判断手順により付加情報が存在すると判断された場合、該判断された付加情報を実行要求に付加して送信することを特徴とする。
【発明の効果】
【００１０】
以上のように、本発明によれば、処理実行装置により対応可能な処理能力に応じた実行要求を、ユーザが端末装置から簡単に送信することができる。
【図面の簡単な説明】
【００１１】
【図１】本発明の実施形態としての処理実行システムの構成例を示すブロック図である。
【図２】ＩＣタグ２に格納される処理種別および設定情報の例を示す図である。
【図３】本実施形態の処理実行システムによる動作の概略を示すシーケンス図である。
【図４】携帯端末１による認証設定動作例を示すフローチャートである。
【図５】携帯端末１による判断および要求送信動作例を示すフローチャートである。
【図６】ＭＦＰ３による要求受信から処理実行の動作例を示すフローチャートである。
【図７】認証ＮＧの場合の再入力動作例を示すフローチャートである。
【発明を実施するための形態】
【００１２】
次に、本発明に係る端末装置、処理実行システムおよび装置のプログラムを適用した一実施形態について、図面を用いて詳細に説明する。
本実施形態の処理実行システムは、例えばスマートフォン、携帯電話、ＰＤＡ（Personal Digital Assistant）などの携帯端末（端末装置）から、処理実行装置の一例としてのＭＦＰ（Multi Function Printer）に対して指定した処理の実行要求を行うことができる好適なものを例示する。
【００１３】
図１は、本発明の実施形態としての処理実行システムの構成例を示すブロック図である。図１に示すように、本実施形態としての処理実行システムは、携帯端末１と、複数のＩＣタグ（読取対象）２と、ＭＦＰ３とを有して構成される。
【００１４】
携帯端末１は、ＩＣタグ２から情報を読み出すための無線読取部１１と、ＭＦＰ３と近距離無線通信を行うための無線通信部１２と、制御部１３と、表示部１４と、ユーザによる操作入力に用いられる操作入力部１５とを備える。
さらに携帯端末１は、例えば携帯電話機である場合、電話等のための図示しない他の無線通信部を備えた構成であってもよい。
【００１５】
ＩＣタグ２は、無線通信部２１と、記憶部２２とを備えて構成される。そして、例えばＮＦＣ（Near Field Communication）などの規格に応じた無線通信により、無線通信部２１と携帯端末１の無線読取部１１との間で通信を行い、携帯端末１から記憶部２２のデータを読み出し可能となっている。
【００１６】
ＩＣタグ２の記憶部２２は、処理種別２３、設定情報２４を格納する。図２に、ＩＣタグ２に格納される処理種別２３、設定情報２４の一例を示す。
【００１７】
ＩＣタグ２は各ＭＦＰ３に対して複数ずつ配置される。そして、ＩＣタグ２に格納される処理種別２３、設定情報２４は、配置されるＭＦＰ３が実行可能な処理種別、設定内容の範囲内で、図２（Ａ）〜（Ｄ）に例示するように、各処理種別について、ユーザがよく用いる代表的な設定内容を格納する。
【００１８】
このため、ユーザは、例えばＭＦＰ３によりコピーしたい場合、図２（Ａ）に示すＩＣタグ２に携帯端末１をかざして情報を読み取ることで、ＭＦＰ３にコピーの実行要求を行う。また、図２の例では、処理種別２３が「コピー」であるデータ例を１種類しか挙げていないが、処理種別２３が「コピー」であり設定情報２４の内容が異なる複数のＩＣタグ２が用意され、ユーザがそれらＩＣタグ２の中から自身の意図に合うものを選択して携帯端末１で読み取る構成であることが好ましい。
また、記憶されているデータ内容の概略がユーザに識別できるよう、処理種別２３、設定情報２４の内容を紙に記載してＩＣタグ２の表面に貼付されていることが好ましい。
【００１９】
ＭＦＰ３は、携帯端末１との間で近距離無線通信を行うための無線通信部３１と、制御部３２と、セットされた原稿画像を読み取る画像読取部３３と、画像形成部３４とを備える。
さらに、電話回線に接続する図示しないモデム（有線通信部）を備えてＦＡＸ機能も実現する構成であってもよい。
【００２０】
このように、ＭＦＰ３は、コピー、スキャン、印刷等の各機能を実現する複数の機能部を備え、携帯端末１等からの実行要求により、それぞれの機能部による処理を実行可能となっている。
【００２１】
次に、本実施形態の処理実行システムによる動作の概略について、図３のシーケンス図を参照して説明する。
【００２２】
まず、ユーザは、ＭＦＰ３用として配置された複数のＩＣタグ２の中から、ＭＦＰ３により実行させたい処理種別および設定情報が格納されているＩＣタグ２を選択する。そして、ユーザが端末装置１の操作入力部１５で所定操作を行うことにより、携帯端末１がＩＣタグ２の読取待機状態となる。
【００２３】
この状態でユーザが携帯端末１をＩＣタグ２にかざすと、携帯端末１の無線読取部１１がＩＣタグ２の無線通信部２１との間で通信を行い（ステップＳ１）、記憶部２２に記憶された処理種別２３、設定情報２４を読み出す（ステップＳ２）。
【００２４】
携帯端末１の制御部１３は、ＩＣタグ２から読み出した情報に、例えば図２（Ｄ）に示すような認証設定が必要である旨の情報が含まれている場合、認証設定を行う（ステップＳ３）。ＩＣタグ２から読み出した情報に認証設定の情報が含まれていない場合、制御部１３は、ステップＳ３の認証設定の動作をスキップしてステップＳ４に移行する。
【００２５】
さらに制御部１３は、ＩＣタグ２から読み出した処理種別２３に基づいて、ＭＦＰ３での処理による処理対象データを、付加情報として処理の実行要求に付加してＭＦＰ３に送信するか否かを判断する（ステップＳ４）。処理対象データを付加情報に含める場合、その処理対象データについての判断を行う。
【００２６】
こうして、処理対象データや認証情報といった、ＭＦＰ３に送信する処理の実行要求に付加して送信する付加情報が確定すると、携帯端末１は、その付加情報を付加した実行要求をＭＦＰ３に送信する（ステップＳ５）。
【００２７】
ＭＦＰ３は、実行要求を受信すると、必要に応じて認証を行い（ステップＳ６）、要求された処理を実行する（ステップＳ７）。
【００２８】
なお、上述したステップＳ５での実行要求の送信は、図３に示すように、サーバ装置４を介して送信する構成であってもよい（ステップＳ５−１、Ｓ５−２）。この場合、処理対象データを予めサーバ装置４に格納しておき、携帯端末１からはデータのファイル名など処理対象データを特定する特定情報をサーバ装置４に送信する。そして、その特定情報で特定される処理対象データを処理実行要求に付加してサーバ装置４がＭＦＰ３に送信することとなる。
このように、いわゆるクラウドプリントシステムの構成とすることにより、例えばサーバ装置４のプリンタドライバでＭＦＰ３での印刷を行い、携帯端末１からドライバなしで印刷命令を送信する構成とすることができる。また、ＭＦＰ３が所定のファイル形式に対してドライバ不要で印刷可能な構成を備えてもよい。
【００２９】
次に、上述したステップＳ２〜Ｓ３で、携帯端末１が認証設定を行う動作について、図４のフローチャートを参照して説明する。
【００３０】
携帯端末１がＩＣタグ２から処理種別２３、設定情報２４を受信すると（ステップＳ２１）、携帯端末１の制御部１３は、受信した設定情報２４の中に、例えば図２（Ｄ）に示すような認証設定が必要である旨の情報が含まれているか否かを判断する（ステップＳ３１）。
【００３１】
認証設定が必要である旨の情報が含まれている場合、制御部１３は認証情報の設定を行う（ステップＳ３２）。認証情報は、例えば携帯端末１における認証用のユーザ名とパスワードなど、予め認証情報が携帯端末１に記憶されている場合、その認証情報を設定してもよい。また、ユーザがユーザ名およびパスワードを操作入力するための入力画面を表示部１４に表示することで、操作入力部１５からの操作入力内容を認証情報として設定する構成であってもよい。
携帯端末１の制御部１３は、こうして設定された認証情報を、ＭＦＰ３への実行要求に付加して送信する付加情報に含めるよう設定する。
【００３２】
また、認証設定が必要である旨の情報が含まれていない場合、制御部１３は認証情報の設定を行わず、次のステップＳ４に移行する。
【００３３】
次に、上述したステップＳ４で、携帯端末１がＭＦＰ３への送信情報の判断を行う動作について、図５のフローチャートを参照して説明する。
【００３４】
携帯端末１の制御部１３は、ＩＣカード２から受信した処理種別２３が、処理の実行要求を送信する際にその処理における処理対象データを付加情報として付加するべき処理種別であるか否かを判断する（ステップＳ４１）。図２に示す例では、ＭＦＰ３による処理種別がコピーまたはスキャンである場合、ＭＦＰ３は画像読取部３３にセットされた原稿に対して処理を行うため、処理対象データを付加情報に含めることは不要である。また、ＭＦＰ３による処理種別が印刷である場合、ＭＦＰ３は送信された印刷用データを印刷するため、処理対象データとしての印刷用データを付加情報に含めることが必要となる。
【００３５】
ＩＣカード２から受信した処理種別２３が印刷である場合、制御部１３は、その時点でオープンしているファイルがあるか否かを確認する（ステップＳ４２）。例えば画像ファイル、文書ファイル、Ｗｅｂサイト表示用ファイルなど、印刷用データになり得るファイル形式のファイルが対応するアプリケーションにより開かれている場合、その開かれているファイルを印刷用データとする、すなわち実行要求に付加してＭＦＰ３に送信する付加情報に含めるよう設定する（ステップＳ４５）。
【００３６】
その時点でオープンしているファイルが存在しない場合、制御部１３は、印刷するファイルをユーザに選択入力させる選択画面を表示部１４に表示させる（ステップＳ４３）。印刷するファイルが操作入力部１５から選択入力されると（ステップＳ４４；Ｙｅｓ）、その選択入力されたファイルを印刷用データとする、すなわち実行要求に付加してＭＦＰ３に送信する付加情報に含めるよう設定する（ステップＳ４５）。
【００３７】
ＩＣカード２から受信した処理種別２３が印刷以外である場合、制御部１３は、実行要求に付加する付加情報に含める処理対象データが存在しないと判断する（ステップＳ４６）。
【００３８】
次に、上述したステップＳ５〜Ｓ７として、ＭＦＰ３による認証および処理実行の動作について、図６のフローチャートを参照して説明する。
【００３９】
ＭＦＰ３の制御部３２は、携帯端末１から処理の実行要求を受信すると（ステップＳ５５）、実行要求された処理種別が、認証を行うよう予め指定された処理種別であるか否かを判断する（ステップＳ６１）。この判断は、ＭＦＰ３での処理種別それぞれについて、予め認証の要否をシステム管理者が定めてＭＦＰ３に登録しておき、ＭＦＰ３がその登録内容と照合するといった方法により行う。
【００４０】
認証が必要という指定が予め登録された処理種別である場合、ＭＦＰ３の制御部３２は、受信した実行要求に付加された付加情報に認証情報が含まれているか否かを確認する（ステップＳ６２）。
【００４１】
付加情報に認証情報が含まれていない場合（ステップＳ６２；Ｎｏ）、エラーとして処理を終了する。付加情報に認証情報が含まれていれば、その認証情報と予め登録された認証情報とを照合するなど、所定の認証処理を行う（ステップＳ６３）。
認証ＯＫであれば（ステップＳ６４；Ｙｅｓ）、実行要求された処理種別の処理を、要求された設定情報の内容により実行する（ステップＳ７）。
【００４２】
また、認証が必要という指定が登録されていない処理種別である場合、ＭＦＰ３の制御部３２は、認証をスキップし、実行要求された処理種別の処理を、要求された設定情報の内容により実行する（ステップＳ７）。
【００４３】
次に、上述したステップＳ６３の認証処理で認証ＮＧとなった場合（ステップＳ６４；Ｎｏ）の動作について、図７のフローチャートを参照して説明する。
【００４４】
認証ＮＧとなった場合（ステップＳ６４；Ｎｏ）、ＭＦＰ３の制御部３２は、無線通信部３１により、認証ＮＧとなった旨のエラー通知を携帯端末１に送信する（ステップＳ８１）。
【００４５】
携帯端末１の制御部１３はエラー通知を受信した場合（ステップＳ８２）、認証ＮＧとなった旨を表示部１４に表示すると共に、認証情報としてのユーザ名、パスワードの再入力を求める画面を表示する（ステップＳ８３）。
【００４６】
操作入力部１５から認証情報が再入力されると（ステップＳ８４；Ｙｅｓ）、携帯端末１の制御部１３は、操作入力された認証情報を無線通信部１２によりＭＦＰ３に送信する（ステップＳ８５）。
【００４７】
ＭＦＰ３の制御部３２は、携帯端末１から認証情報を受信すると（ステップＳ８６；Ｙｅｓ）、受信した認証情報により再度、ステップＳ６３と同様に認証処理を行う（ステップＳ８７）。
【００４８】
認証ＯＫであれば（ステップＳ８８；Ｙｅｓ）、実行要求された処理種別の処理を、要求された設定情報の内容により実行する（ステップＳ７）。認証ＮＧであれば（ステップＳ８８；Ｎｏ）、エラー通知を携帯端末１に再度送信する（ステップＳ８１）。
【００４９】
なお、認証ＮＧの場合のリトライ回数は、公知の各種手法により制限を設けるよう設定してよい。
また、ＭＦＰ３の表示部（不図示）に認証情報の再入力を求める画面を表示する構成であってもよい。
【００５０】
以上のように、上述した本発明の実施形態によれば、ユーザは、ＭＦＰ３に対して複数設けられたＩＣタグ２の中から、所望の処理種別および設定情報を格納するＩＣタグ２を選択し、携帯端末１をかざして読み取るだけで、ＭＦＰ３への処理の実行要求を行うことができる。
このため、ＭＦＰ３により実行可能な機能を把握しながら操作パネルを手入力で操作する必要もなく、簡単な手間で、ＭＦＰ３への処理の実行要求を行うことができる。
【００５１】
また、ＩＣタグ２は各ＭＦＰ３に対して複数ずつ設けられる。そして、ＩＣタグ２には、ＭＦＰ３で実行可能な各処理種別について、そのＭＦＰ３により実行可能であり、かつユーザに対して使用を推奨する設定情報を格納しておくようにする。
このことにより、ユーザはＭＦＰ３が実行可能な機能やその処理能力を全く把握する必要なく、ＭＦＰ３により実行可能かつ使用が推奨される設定での処理の中から所望の設定内容の処理を選択し、実行させることができる。
【００５２】
このため、携帯端末１をＩＣタグ２にかざすといった簡単な手間だけで、ＭＦＰ３の処理能力に応じた推奨設定内容の中から所望の設定内容の処理を選択し、実行させることができる。このため、複数のＭＦＰ３が設けられ、それぞれ多機能かつ異なる機能を有する場合であっても、処理を実行させようとするＭＦＰ３に応じた適切な処理を利便性に優れた操作入力で簡単に実行させることができる。
【００５３】
なお、上述した各実施形態は本発明の好適な実施形態であり、本発明はこれに限定されることなく、本発明の技術的思想に基づいて種々変形して実施することが可能である。
【００５４】
例えば、上述した実施形態では、処理対象データが印刷用として特定されたファイルであることとして説明したが、処理対象のデータを特定することができればこのものに限定されず、例えばＷｅｂページのＵＲＬを携帯端末１からＭＦＰ３に送信し、ＭＦＰ３がそのＵＲＬでの表示内容をネットワークから取得して印刷する構成であってもよい。
【００５５】
また、上述した実施形態では、ＩＣタグ２が処理種別２３および設定情報２４を格納し、携帯端末１が読み出すこととして説明したが、ＩＣタグ２がさらにＭＦＰ３の固有ＩＤを格納する構成としてもよい。このように、携帯端末１がＭＦＰ３の固有ＩＤをＩＣタグ２から読み出し、ＭＦＰ３に送信することにより、異なるＭＦＰ用のＩＣタグ２を誤って読み取ってしまうことによるエラーの発生を防止することができる。
【００５６】
また、上述した実施形態では、携帯端末１が処理種別や設定情報のデータを読み取る読取対象をＩＣタグ２として説明したが、所定のデータを読み取ることができれば読取対象は任意のものであってよく、例えばＩＣカードなど各種の非接触読取媒体、ＱＲコード（登録商標）などの２次元コード、バーコード、所定の図形情報などであってもよい。
また、読取対象が仮想的にサーバ装置４に設けられ、そのサーバ装置４に接続した携帯端末１によりユーザがそれら読取対象の中から選択する構成であってもよい。
【００５７】
また、携帯端末１からの処理実行要求に基づく処理種別や設定情報よりも、ＭＦＰ３本体に手入力で操作入力された設定内容を優先する構成としてもよい。この場合、ＭＦＰ３が図示しない表示部および操作入力部を備え、ＭＦＰ３の表示部には設定画面が別途表示され、その設定画面により操作入力が行われた場合、上述した実施形態のようにして携帯端末１から設定された設定内容をＭＦＰ３の操作入力部からの設定内容で上書きする構成としてよい。
こうした構成によれば、上述した実施形態により携帯端末１から処理種別や設定情報を送信してＭＦＰ３に設定した後、ユーザがＭＦＰ３本体の操作入力部で一部の設定内容を修正することができる。このため、ＭＦＰ３に対して複数設けられたＩＣタグ２の中に、所望の設定情報とぴったり一致するものがない場合であっても、一部の設定内容を手入力で修正することができる。このため、より設定の自由度を大きくすることができる。
【００５８】
また、上述した実施形態では、処理実行装置がＭＦＰである場合の例について説明したが、無線通信により処理の設定が可能な処理実行装置であればこのものに限定されず、任意の装置であってよい。
例えばプロジェクタ装置として、映写対象データを無線通信で受信する、いわゆるロケーションフリーのプロジェクタであってもよい。この場合、処理種別として映写、画像調整などがあり、それら処理種別についての各種設定情報がＩＣタグに格納されることにより、上述した実施形態と同様に実現することができる。
また、写真を加工するサーバ装置であってもよい。この場合、処理種別として写真データのトリミング、各種画像処理などがあり、それら処理種別についての各種設定情報がＩＣタグに格納されることにより、上述した実施形態と同様に実現することができる。
【００５９】
また、上述した各実施形態の各機能部は、上述した機能を実現可能であれば実現する構成は任意であってよく、例えば記録媒体に記録されたプログラムの処理手順を１つのＣＰＵが実行することで実現されてもよく、複数の機能モジュールにより実現されてもよい。また、それら機能モジュールが単一の筐体内にあるか否かは特に問われるものではない。
【００６０】
また、上述した実施形態としての携帯端末１を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピー（登録商標）ディスク、磁気テープ、不揮発性のメモリーカード、ＲＯＭ等を用いてよい。
【００６１】
この本発明に係るプログラムによれば、当該プログラムによって制御される端末装置に、上述した実施形態における各機能を実現させることができる。
【符号の説明】
【００６２】
１    携帯端末（端末装置）
１１    無線読取部
１２    無線通信部
１３    制御部
１４    表示部
１５    操作入力部
２    ＩＣタグ（読取対象）
２１    無線通信部
２２    記憶部
２３    処理種別
２４    設定情報
３    ＭＦＰ（処理実行装置）
３１    無線通信部
３２    制御部
３３    画像読取部（処理実行部）
３４    画像形成部（処理実行部）
【先行技術文献】
【特許文献】
【００６３】
【特許文献１】特開２００８−２００８９８号公報
【図１】
0005953959.tif 000002
【図２】
0005953959.tif 000003
【図３】
0005953959.tif 000004
【図４】
0005953959.tif 000005
【図５】
0005953959.tif 000006
【図６】
0005953959.tif 000007
【図７】
0005953959.tif 000008